(57)【要約】【課題】吸込み温度センサに対する室内熱交換器からの熱影響が少ない多室形空気調和機を提供する。【解決手段】室内機（図示せず）の室内熱交換器３に、室内送風機（図示せず）によって吸い込まれる空気の温度を検出する吸込み温度センサ１を取付けた吸込み温度センサ固定具２を配し、吸込み温度センサ固定具２に、吸込み温度センサ１を覆う第一の平面４と第二の平面５の少なくとも２面設けたもので、室内機が暖房サーモオフしている時に、室内熱交換器３からの熱は、第一、第二の平面４、５の２面で遮られるので、吸込み温度センサ１を熱する事がなく、また、サンプリング時には、吸込み温度センサは完全に囲われていないので、風が流れ雰囲気温度に低下することで、正確に室温をサンプリングすることができ、なかなかサーモオンしないということはなくなる。【選択図】図１
2009097742.tif 000002
【特許請求の範囲】
【請求項１】
室外機と、それぞれ室内熱交換器と室内送風機を有する複数台の室内機を配管接続してなる多室形空気調和機において、前記室内熱交換器に、前記室内送風機によって吸い込まれる空気の温度を検出する吸込み温度センサを取付けた吸込み温度センサ固定具を配し、前記吸込み温度センサ固定具に、前記吸込み温度センサを覆う平面を少なくとも２面設けたことを特徴とする多室形空気調和機。
【発明の詳細な説明】
【技術分野】
【０００１】
この発明は、多室形空気調和機に関するものである。
【背景技術】
【０００２】
従来のこの種の多室形空気調和機の例を、図４を用いて説明する。図４は、従来の多室形空気調和機の室内熱交換器の部分斜視図である。
【０００３】
図４において、９は、従来の多室形空気調和機に内蔵された室内熱交換器で、複数の放熱フィン１０と、複数の冷却管１１とからなり、その室内熱交換器１０の吸い込み側には、温度センサ固定具１３が取りつけられ、その温度センサ固定具１３には、吸込み空気の温度を検知する吸込み温度センサ１４が設けられると共に、吸込み温度センサ１４に近接する室内熱交換器９の冷却管１１ａを排除して、吸込み温度を検出する際に、吸込み空気以外の熱の影響を受けないようにしている（例えば、特許文献１参照）。
【特許文献１】実開平６−６９６３９号公報
【発明の開示】
【発明が解決しようとする課題】
【０００４】
しかしながら、上記特許文献１に開示されたような従来の多室形空気調和機の室内機の構成では、暖房サーモオフ中に室内熱交換器１０の温度が上昇する可能性があり、従来室内熱交換器１０の上部には、吸込み温度センサ１４は取り付けられなかった。しかしながら、近年１対１の空気調和機の室内機と多室形空気調和機の室内機をコスト、工数より共用仕様にするようになってきた。そのため、暖房サーモオフ後なかなかサーモオンしないという課題があった。
【０００５】
本発明は、上記従来の課題を解決し、暖房サーモオフ中に、吸込み温度センサが室内熱交換器からの熱影響を受けにくく、正確に室温をサンプリングし、サーモオンがし難くなることのない多室形空気調和機を提供することを目的とする。
【課題を解決するための手段】
【０００６】
上記従来の課題を解決するため、本発明の多室形空気調和機は、室外機と、それぞれ室内熱交換器と室内送風機を有する複数台の室内機を配管接続してなる多室形空気調和機において、前記室内熱交換器に、前記室内送風機によって吸い込まれる空気の温度を検出する吸込み温度センサを取付けた吸込み温度センサ固定具を配し、前記吸込み温度センサ固定具に、前記吸込み温度センサを覆う平面を少なくとも２面設けたもので、室内機が暖房サーモオフしている時に、室内熱交換器からの熱は、２面の平面で遮られ、吸込み温度センサを熱する事がなく、また、室温のサンプリング時には、吸込み温度センサは完全に囲われていないので、風が流れ雰囲気温度に低下することで、正確に室温をサンプリングすることができ、なかなかサーモオンしないということはなくなる。
【発明の効果】
【０００７】
本発明の多室形空気調和機は、暖房サーモオフ中に、吸込み温度センサが室内熱交換器からの熱影響を受けにくく、正確に室温をサンプリングし、なかなかサーモオンしないということを防ぐ事ができる。
【発明を実施するための最良の形態】
【０００８】
第１の発明は、室外機と、それぞれ室内熱交換器と室内送風機を有する複数台の室内機を配管接続してなる多室形空気調和機において、前記室内熱交換器に、前記室内送風機に
よって吸い込まれる空気の温度を検出する吸込み温度センサを取付けた吸込み温度センサ固定具を配し、前記吸込み温度センサ固定具に、前記吸込み温度センサを覆う平面を少なくとも２面設けたもので、室内機が暖房サーモオフしている時に、室内熱交換器からの熱は、２面の平面で遮られ、吸込み温度センサを熱する事がなく、また、室温のサンプリング時には、吸込み温度センサは完全に囲われていないので、風が流れ雰囲気温度に低下することで、正確に室温をサンプリングすることができ、なかなかサーモオンしないということはなくなる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における多室形空気調和機の室内熱交換器の部分斜視図、図２は、同室内熱交換器の要部拡大斜視図である。
【００１１】
本実施の形態における多室形空気調和機は、図示しない圧縮機、室外熱交換器、四方弁、及び流量制御膨張弁等を内蔵した一台の室外機（図示せず）と、前記室外機に配管接続されると共に、それぞれ室内熱交換器３と室内送風機（図示せず）を有する複数台の室内機（図示せず）から構成され、その室内熱交換器３の吸込み側には、図１、２に示すように、室内送風機によって吸い込まれる空気の温度を検出する吸込み温度センサ１を固定することができる吸込み温度センサ固定具２が取り付けられている。
【００１２】
この吸込み温度センサ固定具２の室内熱交換器３に水平な面に、室内熱交換器３からの輻射熱を防止する第一の平面４が吸込み温度センサ１を覆うように形成され、冷房、暖房運転中に室内送風機（図示せず）が回っている時の室内熱交換器３からの輻射熱を防止することで、正確な室内温度を検出することができる。
【００１３】
また、吸込み温度センサ固定具２には、第一の平面４と垂直方向に、同じく吸込み温度センサ１を覆うように第二の平面５が設けられており、これにより、他室室内機が暖房運転中に暖房サーモオフ状態、言い換えると室外機が暖房運転中に室内機の室内送風機が停止している場合に、室内熱交換器３からの熱気で吸込み温度センサ１が暖められることを防止することができる。
【００１４】
このとき、室内熱交換器３からの伝熱は、吸込み温度センサ固定具２により影響を受けることは少ない。吸込み温度センサ固定具２を３平面以上で囲ってしまうと室内送風機が回転しても、吸込み空気の循環が悪くなり逆に吸込み温度を正確に把握できなくなるが、本実施の形態では、第一の平面４と、第二の平面５だけが吸込み温度センサ１を覆っているので、他の部分から吸込み空気が流入し、吸込み空気の温度を正確に把握することが出来るものである。
【００１５】
以上の構成により、室内機が運転している場合に、サーモオン、サーモオフにかかわらず室内温度を正確に把握することができる。
【００１６】
また、図３に示すように、室内熱交換器３の吸込み側に、図示しない脱臭フィルタや空気清浄フィルタを搭載する場合に、空気清浄機取り付け部６の上部に、吸込み温度センサ固定具２を取り付ける場合も同様に、吸込み温度センサ固定具２の第一の平面４と第二の平面５を設けることにより金型を一体にした構成で、室内送風機が回っている時に室内温度を正確に把握することができる。
【産業上の利用可能性】
【００１７】
以上のように、本発明に係る多室形空気調和機は、暖房サーモオフ中に、吸込み温度センサが室内熱交換器からの熱影響を受けにくく、正確に室温をサンプリングし、サーモオンがし難くなることのないもので、家庭用、業務用の各種多室形空気調和機に適用できるものである。
【図面の簡単な説明】
【００１８】
【図１】本発明の実施の形態１における多室形空気調和機の室内熱交換器の部分斜視図
【図２】同室内熱交換器の要部拡大斜視図
【図３】他の例を示す室内熱交換器の要部拡大斜視図
【図４】従来の多室形空気調和機の室内熱交換器の部分斜視図
【符号の説明】
【００１９】
１  吸込み温度センサ
２  吸込み温度センサ固定具
３  室内熱交換器
４  第一の平面
５  第二の平面
６  空気清浄機取り付け部
【図１】
2009097742.tif 000003
【図２】
2009097742.tif 000004
【図３】
2009097742.tif 000005
【図４】
2009097742.tif 000006